【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
封じ込めエリアの中に流体を封じ込めるための装置であって、
ピラミッドフォーメーションで地表面の上に積み重ねられた複数の封じ込めチューブであって、それぞれの可撓性の封じ込めチューブは、可撓性の本体部を含み、充填流体を受け入れるように構成されている、複数の封じ込めチューブと、
ベーパバリアであって、
前記ベーパバリアの第１の部分は、前記ピラミッドフォーメーションのフロントベースから前記封じ込めエリアの中へ前記地表面に沿って延在しており、
前記ベーパバリアの第２の部分は、前記ピラミッドフォーメーションのフロント面を下向きに、前記ピラミッドフォーメーションの前記フロントベースにおける前記地表面へ延在しており、前記ピラミッドフォーメーションの前記フロント面は、前記封じ込めエリアの一部分を形成し、
前記ベーパバリアの第３の部分は前記ピラミッドフォーメーションのリア面を下向きに、前記ピラミッドフォーメーションのリアベースにおける前記地表面へ延在しながら、前記ピラミッドフォーメーションの内部の中へ前記ピラミッドフォーメーションのリアベースに沿って前記複数の封じ込めチューブのうちの１または複数の間を縫うように進められている、ベーパバリアと
を含むことを特徴とする装置。
【請求項２】
前記ベーパバリアは、第４の部分を含み、前記ベーパバリアの前記第４の部分は、前記ピラミッドフォーメーションの前記リアベースから前記ピラミッドフォーメーションの前記フロントベースへ前記地表面に沿って延在していることを特徴とする請求項１に記載の装置。
【請求項３】
前記ベーパバリアは、第１の端部および第２の端部を有する材料の連続的なシートであり、前記第１の端部は、前記封じ込めエリアの中の前記ベーパバリアの前記第１の部分の端部に対応しており、前記第２の端部は、前記ピラミッドフォーメーションの前記フロントベースにおける前記ベーパバリアの前記第４の部分の端部に対応していることを特徴とする請求項２に記載の装置。
【請求項４】
前記ピラミッドフォーメーションの前記フロントベースにおける前記ベーパバリアの前記第４の部分の端部は、前記封じ込めエリアの中に封じ込められている前記流体の一部分が前記ピラミッドフォーメーションの内部に進入することを可能にする浸出ギャップを提供するように位置決めされており、前記ベーパバリアは、前記浸出ギャップを通して前記内部に進入する前記流体の前記一部分を実質的に封じ込めることを特徴とする請求項２に記載の装置。
【請求項５】
前記地表面に固定されるアンカーをさらに含み、前記アンカーは、前記ベーパバリアの位置を維持するように構成されていることを特徴とする請求項１に記載の装置。
【請求項６】
前記アンカーに連結されているストラップは、前記ベーパバリアの前記位置を維持していることを特徴とする請求項５に記載の装置。
【請求項７】
杭が、前記アンカーを前記地表面に固定し、前記ベーパバリアは、前記アンカーと前記地表面との間に位置決めされ、前記ベーパバリアの前記位置を維持することを特徴とする請求項５に記載の装置。
【請求項８】
ピラミッドフォーメーションで前記地表面の上に積み重ねられた第２の複数の封じ込めチューブと、
前記第２の複数の封じ込めチューブの中のそれぞれの封じ込めチューブと前記第１の複数の封じ込めチューブの中の対応する封じ込めチューブとの当接部と
をさらに含むことを特徴とする請求項１に記載の装置。
【請求項９】
前記第１の複数の封じ込めチューブの前記ピラミッドフォーメーションの前記フロント面を下向きに延在する前記ベーパバリアの前記第２の部分は、前記第２の複数の封じ込めチューブと前記第１の複数の封じ込めチューブとの前記当接部に広がっていることを特徴とする請求項８に記載の装置。
【請求項１０】
前記第２の複数の封じ込めチューブの中の封じ込めチューブと前記第１の複数の封じ込めチューブの中の対応する封じ込めチューブとの当接部は、スリーブを含み、前記スリーブは、第１の封じ込めチューブの端部および第２の封じ込めチューブの端部の上に延在していることを特徴とする請求項８に記載の装置。
【請求項１１】
前記第２の複数の封じ込めチューブの中の封じ込めチューブと前記第１の複数の封じ込めチューブの中の対応する封じ込めチューブとの当接部は、少なくとも１つの封じ込めチューブ受け入れ当接部を含み、封じ込めチューブ受け入れ当接部は、
第１の封じ込めチューブの端部を受け入れるための第１の開口部と、
第２の封じ込めチューブの端部を受け入れるための第２の開口部と
を含むことを特徴とする請求項８に記載の装置。
【請求項１２】
前記第２の複数の封じ込めチューブの中の封じ込めチューブと前記第１の複数の封じ込めチューブの中の対応する封じ込めチューブとの当接部は、少なくとも１つの封じ込めチューブ受け入れ当接部を含み、第１の封じ込めチューブ受け入れ当接部は、
第１の封じ込めチューブの端部を受け入れるための開口部と、
形状決めされた端部であって、第２の封じ込めチューブ受け入れ当接部に対合するように、または、第２の封じ込めチューブに当接するように構成されている、形状決めされた端部と
を含むことを特徴とする請求項８に記載の装置。
【請求項１３】
封じ込めエリアの中に流体を封じ込めるための方法であって、
地表面の上にベーパバリアを置くステップと、
複数の封じ込めチューブを前記ベーパバリアの上にピラミッドフォーメーションで位置決めするステップであって、それぞれの可撓性の封じ込めチューブは、可撓性の本体部を含み、充填流体を受け入れるように構成されている、ステップと、
前記複数の封じ込めチューブを前記充填流体で充填するステップと、
前記ベーパバリアの第１の部分を前記ピラミッドフォーメーションのフロントベースから前記封じ込めエリアの中へ前記地表面に沿って延在させるステップと、
前記ピラミッドフォーメーションのフロント面をカバーするように、前記ピラミッドフォーメーションの前記フロントベースにおける前記地表面まで、前記ベーパバリアの第２の部分を延在させるステップであって、前記ピラミッドフォーメーションの前記フロント面は、前記封じ込めエリアの一部分を形成している、ステップと、
前記ベーパバリアの第３の部分を延在させるステップであって、前記複数の封じ込めチューブを位置決めする間に、前記ピラミッドフォーメーションの内部の中へ、前記ピラミッドフォーメーションのリア面を形成する前記複数の封じ込めチューブのうちの１または複数の間を、前記ベーパバリアの第３の部分を縫うように進ませることにより、前記ピラミッドフォーメーションのリアベースにおける前記地表面から前記ピラミッドフォーメーションの前記リア面まで、前記ベーパバリアの第３の部分を延在させるステップと、
を含むことを特徴とする方法。
【請求項１４】
前記ベーパバリアは、第１の端部および第２の端部を有する材料の連続的なシートであり、前記ピラミッドフォーメーションの前記フロントベースは、前記ベーパバリアの前記第２の端部に位置決めされており、前記方法は、
前記ベーパバリアの前記第２の部分を延在させるために、前記ピラミッドフォーメーションのリアベースから、前記ピラミッドフォーメーションの上部を越えて、前記ピラミッドフォーメーションの前記フロント面を下向きに、前記ベーパバリアの前記第１の端部に巻き付けるステップと、
前記巻き付けるステップに応答して、前記ベーパバリアの前記第１の部分を延在させるために、前記ベーパバリアの前記第１の端部を前記封じ込めエリアの中に位置決めするステップと
をさらに含むことを特徴とする請求項１３に記載の方法。
【請求項１５】
前記ベーパバリアの前記第２の端部に位置決めされている前記複数の封じ込めチューブは、浸出ギャップを提供しており、前記方法は、
前記封じ込めエリアの中に前記流体を受け入れるステップと、
前記浸出ギャップを通して、前記ピラミッドフォーメーションの内部の中へ、前記封じ込めエリアの中の前記流体の一部分を受け入れるステップであって、前記ピラミッドフォーメーションの前記リアベースから、前記ピラミッドフォーメーションの前記上部を越えて、前記ピラミッドフォーメーションの前記フロント面を下向きに、前記ベーパバリアの前記第１の端部に巻き付けるステップは、前記浸出ギャップを通して進入する前記流体の前記一部分を前記内部の中に実質的に封じ込める、ステップと
をさらに含むことを特徴とする請求項１４に記載の方法。
【請求項１６】
ピラミッドフォーメーションで前記ベーパバリアの上に第２の複数の封じ込めチューブを位置決めするステップと、
前記第２の複数の封じ込めチューブの中の封じ込めチューブのそれぞれを、前記第１の複数の封じ込めチューブの中の対応する封じ込めチューブに当接させるステップと
をさらに含むことを特徴とする請求項１３に記載の方法。
【請求項１７】
前記第２の複数の封じ込めチューブの中の封じ込めチューブを前記第１の複数の封じ込めチューブの中の対応する封じ込めチューブに当接させるステップは、
前記封じ込めチューブを充填する前に、前記封じ込めチューブの少なくとも１つの端部の上にスリーブを延在させるステップ
を含むことを特徴とする請求項１６に記載の方法。
【請求項１８】
前記第２の複数の封じ込めチューブの中の封じ込めチューブを前記第１の複数の封じ込めチューブの中の対応する封じ込めチューブに当接させるステップは、
前記封じ込めチューブを充填する前に、
前記第１の複数の封じ込めチューブの中の前記対応する封じ込めチューブの端部を、受け入れ当接部の第１の開口部の中へ挿入するステップと、
前記第２の複数の封じ込めチューブの中の前記封じ込めチューブの端部を、前記受け入れ当接部の中の第２の開口部の中へ挿入するステップと
を含むことを特徴とする請求項１６に記載の方法。